(57)【特許請求の範囲】
【請求項１】
ワイヤの先端に圧着端子を具備するコネクタ端子が挿入されるコネクタに装着され、前記ワイヤのワイヤ引き出し方向を規制する、コネクタのワイヤカバーであって、
前記コネクタに装着された際、前記コネクタに対向する開口したコネクタ対向開口面および前記ワイヤ引き出し方向になる開口したワイヤ引き出し方向開口面と、
前記コネクタ対向開口面に対向したフード天面と、
前記フード天面の前記ワイヤ引き出し方向に略平行なフード第１稜線およびフード第２稜線にそれぞれ連続し、前記ワイヤ引き出し方向に略平行なフード第１側面およびフード第２側面とを有し、
前記フード第１側面には、前記ワイヤ引き出し開口面側のフード第１側面先端縁から所定の位置に、前記コネクタ対向開口面側のフード第１側面から前記フード第１稜線に向かったフード側面切欠溝が形成され、
前記フード第２側面における前記ワイヤ引き出し開口面寄りの所定の範囲が欠損して、フード側面欠損部分が形成され、
前記フード天面における前記ワイヤ引き出し開口面寄りで前記フード第２側面寄りの所定の範囲が欠損して、前記フード側面欠損部分に連続したフード天面欠損部分が形成されていることを特徴とするコネクタのワイヤカバー。
【請求項２】
前記フード天面の前記コネクタ対向開口面とは反対側の面には、前記ワイヤ引き出し開口面側のフード天板先端縁から所定の位置に、前記フード天面先端縁に平行なフード天面リブが形成されていることを特徴とする請求項１記載のコネクタのワイヤカバー。
【請求項３】
前記フード天面の前記ワイヤ引き出し開口面側のフード天面先端縁から所定の幅の範囲が前記フード側面欠損部分に向かって延長され、前記フード天面欠損部分に前記フード側面欠損部分に向かったフード天面切欠溝が形成されていることを特徴とする請求項１記載のコネクタのワイヤカバー。
【請求項４】
可撓性を具備するバンド部と、前記バンド部が抜け出し不可能に貫通する結束孔を具備するヘッド部とを有する結束バンドの前記バンド部が、前記フード側面切欠溝に案内されると共に、前記フード側面欠損部分および前記フード天面欠損部分を通過し、かつ、前記ヘッド部が前記フード第１側面の前記フード側面切欠溝の周囲に当接することを特徴とする請求項１〜３の何れか一項に記載のコネクタのワイヤカバー。
【発明の詳細な説明】
【技術分野】
【０００１】
本発明はコネクタのワイヤカバー、特に、コネクタに装着され、コネクタから引き出されるワイヤの引き出し方向を規制するコネクタのワイヤカバーに関する。
【背景技術】
【０００２】
従来、コネクタから引き出される電線（「ワイヤ」に同じ）の引き出し方向を規制する電線カバー（「ワイヤカバー」に同じ）として、電線カバーの電線導出口の孔縁部から断面略門形の電線固定部を突設させ、電線固定部には、電線を束ねる結束バンドが挿通可能な挿通孔を一対設けた発明が開示されている（例えば、特許文献１参照）。
【先行技術文献】
【特許文献】
【０００３】
【特許文献１】特開平２００２−３４３４９７号公報（第２−３頁、図１）
【発明の概要】
【発明が解決しようとする課題】
【０００４】
特許文献１に開示された発明は、電線の本数や外径に応じて、結束バンドの巻回経路、すなわち結束バンドが通過する挿通孔を適宜選択することができるため、引き出される電線の本数や外径に応じて選択された挿通孔を通過した結束バンドは、電線の本数や外径に応じて、電線を固定部に固定することができる。
しかしながら、バンド部とバンド部が抜け出し不可能に貫通するバンド結束孔を具備するヘッド部とを有する結束バンドを結束する際、バンド部を挿通孔に挿通すると共に、バンド部をバンド結束孔に挿入する必要があるため、取り付ける作業が煩雑であるという問題があった。
また、結束バンドを結束する際、すなわち、バンド部をバンド結束孔に挿入して締め上げる際、ヘッド部を押し当てる部位がないため、結束作業が不安定になり、結束バンドを結束する作業性が悪いという問題と共に、結束バンドの締め上げが不十分な場合には、電線を電線固定部に確実に固定することができないという問題があった。
【０００５】
本発明は、このような状況に鑑みてなされたものであり、結束バンドを容易かつ安定して結束することを可能にし、結束バンドの締め上げを十分にして、電線を電線カバーに確実に固定することができる、コネクタのワイヤカバーを提供することにある。
【課題を解決するための手段】
【０００６】
本発明に係るコネクタのワイヤカバーは、ワイヤの先端に圧着端子を具備するコネクタ端子が挿入されるコネクタに装着され、前記ワイヤのワイヤ引き出し方向を規制する、コネクタのワイヤカバーであって、
前記コネクタに装着された際、前記コネクタに対向する開口したコネクタ対向開口面および前記ワイヤ引き出し方向になる開口したワイヤ引き出し方向開口面と、
前記コネクタ対向開口面に対向したフード天面と、
前記フード天面の前記ワイヤ引き出し方向に略平行なフード第１稜線およびフード第２稜線にそれぞれ連続し、前記ワイヤ引き出し方向に略平行なフード第１側面およびフード第２側面とを有し、
前記フード第１側面には、前記ワイヤ引き出し開口面側のフード第１側面先端縁から所定の位置に、前記コネクタ対向開口面側のフード第１側面から前記フード第１稜線に向かったフード側面切欠溝が形成され、
前記フード第２側面における前記ワイヤ引き出し開口面寄りの所定の範囲が欠損して、フード側面欠損部分が形成され、
前記フード天面における前記ワイヤ引き出し開口面寄りで前記フード第２側面寄りの所定の範囲が欠損して、前記フード側面欠損部分に連続したフード天面欠損部分が形成されていることを特徴とする。
【０００７】
また、本発明に係るコネクタのワイヤカバーは、前記フード天面の前記コネクタ対向開口面とは反対側の面に、前記ワイヤ引き出し開口面側のフード天板先端縁から所定の位置に、前記フード天面先端縁に平行なフード天面リブが形成されていることを特徴とする。
【０００８】
また、本発明に係るコネクタのワイヤカバーは、前記フード天面の前記ワイヤ引き出し開口面側のフード天面先端縁から所定の幅の範囲が前記フード側面欠損部分に向かって延長され、前記フード天面欠損部分に前記フード側面欠損部分に向かったフード天面切欠溝が形成されていることを特徴とする。
【０００９】
さらに、本発明に係るコネクタのワイヤカバーは、可撓性を具備するバンド部と、前記バンド部が抜け出し不可能に貫通する結束孔を具備するヘッド部とを有する結束バンドの前記バンド部が、前記フード側面切欠溝に案内されると共に、前記フード側面欠損部分および前記フード天面欠損部分を通過し、かつ、前記ヘッド部が前記フード第１側面の前記フード側面切欠溝の周囲に当接することを特徴とする。
【発明の効果】
【００１０】
（ａ）本発明によれば、バンド部およびヘッド部を具備する結束バンドは、バンド部の一部がフード側面切欠溝に案内され、フード側面欠損部分およびフード天面欠損部分を通過した状態で、コネクタに取り付けられるため、取り付けが容易で、結束バンドの取り付け作業が迅速になる。
（ｂ）また、ヘッド部をフード第１側面のフード側面切欠溝の周囲に押し当てて、バンド部を締め上げることが可能になる。したがって、結束バンドのズレが防止され、結束バンドの締め上げ作業は安定になり、十分に締め上げられた結束バンドによってワイヤはワイヤカバーに確実に固定される。
（ｃ）また、バンド部は可撓性を有し、フード側面切欠溝、フード側面欠損部分およびフード天面欠損部分を通過してワイヤに直接当接するから、引き出されるワイヤの本数に左右されることなく、ワイヤは結束バンドによってワイヤカバーに確実に固定される。
（ｄ）さらに、結束バンドのバンド部はフード側面欠損部分およびフード天面欠損部分を通過するから、結束バンドのバンド部はフード第１側面寄りの位置に納まって、フード第２側面からフード第１側面とは反対の方向に突出することがない。したがって、フード第２側面に沿って、突出した物のない空間が形成される。
【図面の簡単な説明】
【００１１】
【図１】本発明の実施の形態１に係るコネクタのワイヤカバーを説明するものであって、装着対象となる部材（コネクタ等）を分離して示す斜視図である。
【図２】本発明の実施の形態１に係るコネクタのワイヤカバーを説明するものであって、装着対象となる部材（コネクタ等）への装着状況を説明する斜視図である。
【図３】本発明の実施の形態１に係るコネクタのワイヤカバーを説明する平面図である。
【図４】本発明の実施の形態１に係るコネクタのワイヤカバーを説明する正面図である。
【図５】本発明の実施の形態１に係るコネクタのワイヤカバーを説明する側面図である。
【図６】本発明の実施の形態１に係るコネクタのワイヤカバーを説明する斜視図である。
【図７】本発明の実施の形態１に係るコネクタのワイヤカバーを説明する一部を拡大して示す斜視図である。
【図８】本発明の実施の形態１に係るコネクタのワイヤカバーを説明するものであって、取り付けられる結束バンドを示す斜視図である。
【図９】本発明の実施の形態１に係るコネクタのワイヤカバーを説明するものであって、結束バンドの取り付け状態を示す平面図である。
【図１０】本発明の実施の形態１に係るコネクタのワイヤカバーを説明するものであって、結束バンドの取り付け状態を示す側面図である。
【図１１】本発明の実施の形態１に係るコネクタのワイヤカバーを説明するものであって、結束バンドの取り付け状態を示す一部を拡大した斜視図である。
【図１２】本発明の実施の形態１に係るコネクタのワイヤカバーを説明するものであって、結束バンドの取り付け状態（３０極）における一部を拡大して示す正面図である。
【図１３】本発明の実施の形態１に係るコネクタのワイヤカバーを説明するものであって、結束バンドの取り付け状態（４１極）における一部を拡大して示す正面図である。
【図１４】本発明の実施の形態１に係るコネクタのワイヤカバーを説明するものであって、使用状態を示す平面図である。
【図１５】本発明の実施の形態１に係るコネクタのワイヤカバーを説明するものであって、使用状態を示す側面図である。
【図１６】本発明の実施の形態１に係るコネクタのワイヤカバーを説明するものであって、使用状態を示す斜視図である。
【図１７】本発明の実施の形態２に係るコネクタのワイヤカバーを説明する平面図である。
【図１８】本発明の実施の形態２に係るコネクタのワイヤカバーの変形例を説明する斜視図である。
【発明を実施するための形態】
【００１２】
［実施の形態１］
以下、発明を実施するための形態（以下「実施の形態１」と称す）を、図面を参照しつつ説明する。なお、本発明は図示された形態に限定されるものではない。また、図面の煩雑さを避けるため、一部の部位の記載あるいは一部の符号の記載を省略する場合がある。
【００１３】
（コネクタ）
図１および図２は本発明の実施の形態１に係るコネクタのワイヤカバーを説明するものであって、図１は装着対象となる部材（コネクタ等）を分離して示す斜視図、図２は装着対象となる部材（コネクタ等）への装着状況を説明する斜視図である。
図１および図２において、コネクタのワイヤカバー（以下「ワイヤカバー」と称す）１００は、コネクタ３００に装着される。
コネクタ３００は、メスコネクタハウジング３１０と、メスコネクタハウジング３１０を収納したオスコネクタハウジング３２０とからなる。
メスコネクタハウジング３１０にはコネクタ端子２００が挿入される。
コネクタ端子２００は、ワイヤ２１０とワイヤ２１０の先端に設置された圧着端子２２０とを具備し、コネクタ端子２００のワイヤ２１０の引き出し方向（太い矢印にて示す。以下「ワイヤ引き出し方向」と称す）１０１は、ワイヤカバー１００によって規制される。
【００１４】
以下の説明の便宜上、コネクタ端子２００のメスコネクタハウジング３１０への挿入方向（太い矢印にて示す。以下「コネクタ端子挿入方向」と称す）２０１の反対方向、すなわち、メスコネクタハウジング３１０のオスコネクタハウジング３２０への挿入方向（太い矢印にて示す。以下「ハウジング挿入方向」と称す）３０１の反対方向を「Ｙ方向」と称す。
また、ワイヤ引き出し方向１０１の反対方向を「Ｚ方向」と称し、Ｙ方向およびＺ方向に垂直な方向を「Ｘ方向」と称す。なお、ワイヤ引き出し方向１０１はワイヤカバー１００のメスコネクタハウジング３１０への装着方向に同じである。
【００１５】
（メスコネクタハウジング）
メスコネクタハウジング３１０は略直方体であって、複数のコネクタ端子収納室３１２が設けられ、それぞれにコネクタ端子２００に挿入される。そして、対向する一対の外面（Ｘ方向の面および−Ｘ方向の面）にそれぞれ、突出した位置決め突起３１１が形成され、位置決め突起３１１が形成されていない外面（Ｚ方向の面）に、進退可能に突出した係止突起３１３が形成されている。
【００１６】
（オスコネクタハウジング）
オスコネクタハウジング３２０は外面に突出した鍔状のオスコネクタフランジ３２５を具備する略円筒体であって、メスコネクタハウジング３１０を収納する収納部（図示しない）を具備している。
そして、外面の対向する位置（Ｘ方向の位置および−Ｘ方向の位置）にそれぞれ、メスコネクタハウジング３１０の位置決め突起３１１が侵入する位置決め溝３２１が形成され、位置決め溝３２１を結ぶ仮想線に垂直な位置（Ｚ方向の位置）に、メスコネクタハウジング３１０の係止突起３１３が係止する係止孔３２３が形成されている。
【００１７】
（ワイヤカバー）
図３〜図７は本発明の実施の形態１に係るコネクタのワイヤカバーを説明するものであって、図３は平面図、図４は正面図、図５は側面図、図６は斜視図、図７は一部を拡大して示す斜視図である。なお、説明の便宜上、図１において定義した装着時の方向（Ｘ方向、Ｙ方向、Ｚ方向）を付記する。
図１〜図７において、ワイヤカバー１００は、フード１１０と、フード１１０に連続したカバーフランジ１２０と、カバーフランジ１２０に設けられたカバー係止部１３０とを具備している。以下、それぞれについて説明する。
【００１８】
（フード）
フード１１０は、開口したコネクタ対向開口面５０（−Ｙ方向の面に同じ）および開口したワイヤ引き出し開口面６０（−Ｚ方向の面に同じ）を具備する略箱状であって、フード１１０がコネクタ３００に装着された際、コネクタ対向開口面５０はオスコネクタハウジング３２０に対向し、ワイヤ引き出し開口面６０からワイヤ引き出し方向１０１に向けてワイヤ２１０が引き出される（図１０参照）。
そして、フード１１０はコネクタ対向開口面５０に対向したフード天面３０（Ｙ方向の面に同じ）を具備している。フード天面３０は、ワイヤ引き出し方向１０１に平行な断面略円弧状のフード第１稜線３１およびフード第２稜線３２と、ワイヤ引き出し方向１０１に垂直な断面略円弧状のフード後稜線３４と、ワイヤ引き出し開口面６０側のフード天面先端縁３６とを具備する略矩形状である。
【００１９】
また、フード１１０は、フード第１稜線３１およびフード第２稜線３２にそれぞれ滑らかに連続し、ワイヤ引き出し方向１０１に平行な（Ｙ−Ｚ面に平行な）フード第１側面１０およびフード第２側面２０と、フード後稜線３４、フード第１側面１０およびフード第２側面２０に滑らかに連続し、コネクタ対向開口面５０から離れる程、ワイヤ引き出し開口面６０に近づくように傾斜したフード後斜面４０とを具備している。
そして、後記するフード側面切欠溝７０がフード第１側面１０に形成され、後記するフード欠損面８０がフード第２側面２０とフード天面３０とに跨がって形成されているため、フード１１０の形状は非対称になっている。
なお、以上は、フード天面３０がコネクタ対向開口面５０に平行な平板状で、フード天面３０等にフード後斜面４０が連続しているが、本発明はこれに限定されるものではない。例えば、フード１１０がフード後斜面４０やフード天面リブ９０を具備しなくてもよい。あるいは、フード天面３０がアーチ状（円筒または円錐台の一部）であったり、フード天面３０がコネクタ対向開口面５０に対して平行でなかったりしてもよい。
【００２０】
（フード側面切欠溝）
フード第１側面１０には、ワイヤ引き出し開口面６０側の端縁（フード天面先端縁３６と同じ面内に位置している面に同じ。以下「フード第１側面先端縁」と称す。）１６からフード後斜面４０方向（Ｚ方向）に距離Ａの位置から幅Ｂで、コネクタ対向開口面５０側の側縁（以下「フード第１側面側縁」と称す）１５からフード第１稜線３１に向かって（Ｙ方向に向かって）深さＣである矩形状のフード側面切欠溝７０が形成されている。
なお、フード側面切欠溝７０は、後記する結束バンド４００を構成するバンド部４１０が通過可能で結束バンド４００を構成するヘッド部４２０が通過不可能な大きさになっている（図８参照）。
【００２１】
（フード欠損面）
フード第２側面２０のワイヤ引き出し開口面６０寄りの距離Ｄの範囲が欠損し、フード側面欠損部分（図３および図６において二点鎖線にて模式的に示す）８２が形成されている。
すなわち、フード第２側面２０のフード側面欠損部分８２側の端縁（ワイヤ引き出し開口面６０側の端縁に同じ。以下「フード第２側面欠損端縁」と称す）２８は、ワイヤ引き出し開口面６０にはなく、フード天面先端縁３６（フード第１側面先端縁１６に同じ）よりもフード後斜面４０に近い位置にある。
【００２２】
また、フード天面３０には、フード天面先端縁３６からＺ方向に距離Ｄで、フード第２側面２０からＸ方向に距離Ｅの範囲が欠損し、フード天面欠損部分（図３および図６において二点鎖線にて模式的に示す）８３が形成されている。
そして、フード天面先端縁３６に平行なフード天面欠損部分８３を形成する端縁を「フード天面欠損端縁３８」と、フード天面先端縁３６に垂直なフード天面欠損部分８３を形成する側縁を「フード天面欠損側縁３９」と称する。なお、フード天面欠損側縁３９はフード第２稜線３２に位置する場合がある。
すなわち、フード天面欠損部分８３とフード側面欠損部分８２とは連続していて、両者によってフード欠損面８０が形成されている。
このとき、フード欠損面８０のＺ方向の距離Ｄは、フード側面切欠溝７０のフード第１側面先端縁１６からの距離に相当する距離Ａと幅Ｂの和に同じ（Ｄ＝Ａ＋Ｂ）あるいは該和よりもわずかに大きく（Ｄ＞（Ａ＋Ｂ））なっている。また、フード欠損面８０のＸ方向の距離Ｅは、後記する結束バンド４００を構成するバンド部４１０の厚さＴ（図８参照）よりも大きくなっている（Ｅ＞Ｔ）。
【００２３】
（フード天面リブ）
また、フード天面３０のコネクタ対向開口面５０とは反対側の面（Ｙ方向の面）に、フード天面先端縁３６に平行なフード天面リブ９０が設けられている。このとき、フード天面リブ９０は、互いに平行に配置されたフード天面先端縁３６側の先寄りフード天面リブ９１とフード後稜線３４側の後寄りフード天面リブ９２とによって構成されている。
そして、先寄りフード天面リブ９１の後寄りフード天面リブ９２に対向した面のフード天面先端縁３６からＹ方向の距離Ｆは、距離Ａに略同じ（Ｆ≒Ａ）で、先寄りフード天面リブ９１と後寄りフード天面リブ９２との互いに対向する面同士の間隔（Ｙ方向の距離）Ｇは幅Ｂに略同じ（Ｇ≒Ｂ）になっている。したがって、後記する結束バンド４００を構成するバンド部４１０（図８参照）は、フード側面切欠溝７０に侵入して、フード天面先端縁３６に平行な状態で、先寄りフード天面リブ９１と後寄りフード天面リブ９２とに挟まれた範囲に案内され、さらに、フード欠損面８０を通過することになる。
なお、本発明におけるフード天面リブ９０は、先寄りフード天面リブ９１および後寄りフード天面リブ９２の両方を具備するものに限定されるものではなく、何れか一方を具備するものであってもよい。さらに、バンド部４１０はフード側面切欠溝７０において案内されるため、フード天面リブ９０を撤去してもよい。
【００２４】
（カバーフランジ）
カバーフランジ１２０は、オスコネクタハウジング３２０の外郭に略同じ略円弧状部分を具備する馬蹄形であって、オスコネクタハウジング３２０の端面３２４に当接するカバーフランジ端面１２１と、カバーフランジ端面１２１における対向した側縁（Ｘ方向の側縁および−Ｘ方向の側縁）にそれぞれ設けられたカバー係止部１３０とを具備している。
カバー係止部１３０は、オスコネクタハウジング３２０の位置決め溝３２１に侵入して、同じく位置決め溝３２１に侵入しているメスコネクタハウジング３１０の位置決め突起３１１に係止する。
すなわち、カバー係止部１３０は、カバーフランジ端面１２１に垂直な（Ｙ−Ｚ面に平行な）カバー係止垂直部分１３１と、カバー係止垂直部分１３１の先端に連続して、カバーフランジ端面１２１に平行な（Ｘ−Ｚ面に平行な）カバー係止平行部分１３２とを具備している。そして、カバーフランジ端面１２１、カバー係止垂直部分１３１およびカバー係止平行部分１３２の三者によって３方が包囲された空間に、メスコネクタハウジング３１０の位置決め突起３１１が侵入した状態になる（図９参照）。
【００２５】
（結束バンド）
図８は本発明の実施の形態１に係るコネクタのワイヤカバーを説明するものであって、取り付けられる結束バンドを示す斜視図である。なお、説明の便宜上、図１において定義した装着時の方向（Ｘ方向、Ｙ方向、Ｚ方向）を付記する。
図８において、結束バンド４００は、可撓性を具備するバンド部４１０と、結束孔４２１が形成されたヘッド部４２０とを具備している。バンド部４１０には断面鋸歯状の凹凸（図示しない）が形成され、結束孔４２１には前記凹凸に係止して一方の方向に向かう移動を拘束する爪状の突起（図示しない）が形成されているから、バンド部４１０は、ヘッド部４２０とは反対側の先端から結束孔４２１に挿入可能であるものの、一旦挿入した後は、抜け出し不可能になる。
なお、バンド部４１０は図示しない爪状の突起における断面が、幅Ｗ（Ｚ方向）および厚さＴ（Ｘ方向またはＹ方向）を具備する矩形になっている。
【００２６】
（結束バンドの取り付け状態）
図９〜図１３は本発明の実施の形態１に係るコネクタのワイヤカバーを説明するものであって、図９は結束バンドの取り付け状態を示す平面図、図１０は結束バンドの取り付け状態を示す側面図、図１１は結束バンドの取り付け状態を示す一部を拡大した斜視図、図１２は結束バンドの取り付け状態（３０極）における一部を拡大して示す正面図、図１３は結束バンドの取り付け状態（４１極）における一部を拡大して示す正面図である。なお、説明の便宜上、図１において定義した装着時の方向（Ｘ方向、Ｙ方向、Ｚ方向）を付記する。
図９〜図１３において、コネクタ３００にワイヤカバー１００が装着され、ワイヤカバー１００からワイヤ引き出し方向１０１に引き出されたワイヤ２１０が、結束バンド４００によってワイヤカバー１００に固定されている。
【００２７】
メスコネクタハウジング３１０はオスコネクタハウジング３２０に収納され、前者の係止突起３１３が後者の係止孔３２３に係止し、前者の位置決め突起３１１が後者の位置決め溝３２１に侵入している。すなわち、メスコネクタハウジング３１０とオスコネクタハウジング３２０とは一体になっている。
そして、ワイヤカバー１００のカバーフランジ端面１２１はオスコネクタハウジング３２０の端面３２４に当接し、カバー係止部１３０は、オスコネクタハウジング３２０の位置決め溝３２１に侵入している。このとき、カバーフランジ端面１２１、カバー係止垂直部分１３１およびカバー係止平行部分１３２の三者によって３方が包囲された空間に、メスコネクタハウジング３１０の位置決め突起３１１は位置し、カバー係止部１３０は図示しない固定手段によって位置決め突起３１１に、抜け出し不可能に固定されている。
【００２８】
また、コネクタ端子２００のワイヤ２１０は、メスコネクタハウジング３１０から一旦Ｙ方向に引き出された後、フード後斜面４０またはフード天面３０においてワイヤ引き出し方向１０１側（−Ｚ方向）に曲げられ（図示しない）、フード第１側面１０、フード天面３０およびフード第２側面２０によって案内され、ワイヤ引き出し開口面６０からワイヤ引き出し方向１０１に引き出されている。
そして、結束バンド４００を構成するバンド部４１０は、フード側面切欠溝７０およびフード天面リブ９０に案内され、フード欠損面８０を通過した状態で、ワイヤ２１０をワイヤカバー１００に固定している。このとき、結束バンド４００を構成するヘッド部４２０は、フード第１側面１０のフード側面切欠溝７０の周囲に押し当てられ、バンド部４１０は締め上げられている。
【００２９】
（作用効果）
（ａ）前記のように、結束バンド４００は、バンド部４１０がフード側面切欠溝７０およびフード天面リブ９０に案内された状態で、フード欠損面８０を通過している。すなわち、フード１１０にはバンド部４１０を挿入するための挿通孔（特許文献１参照）に相当する孔がなく、バンド部４１０をフード１１０に巻き付けるだけで、取り付けることができるから、作業が容易で迅速になる。
（ｂ）さらに、結束バンド４００は、バンド部４１０がフード側面切欠溝７０およびフード天面リブ９０に案内されてズレが防止され、かつ、ヘッド部４２０はフード第１側面１０のフード側面切欠溝７０の周囲に押し当てられた安定した状態で、結束バンド４００は締め上げられる。したがって、結束バンド４００の結束作業は安定になって、結束バンド４００は十分に締め上げられ、ワイヤ２１０はワイヤカバー１００に確実に固定される。
（ｃ）また、バンド部４１０は可撓性を具備し、フード欠損面８０を通過可能であるから、引き出されるワイヤ２１０の本数に左右されることなく、ワイヤ２１０をワイヤカバー１００に固定することができる。すなわち、ワイヤ２１０の本数が少ない場合（例えば３０極）、バンド部４１０は正面視で略三角形を呈し（図１２参照）、ワイヤ２１０の本数が多い場合（例えば４１極）、バンド部４１０は正面視で略台形を呈し（図１３参照）、それぞれの場合においてバンド部４１０を確実に締め上げることができる。
（ｄ）さらに、フード欠損面８０を構成するフード天面欠損部分８３の欠損範囲は、フード第２稜線３２の一部を含み、フード第２側面２０からフード第１側面１０方向に距離Ｅの範囲であって、距離Ｅはバンド部４１０の厚さＴよりも大きい（Ｅ＞Ｔ）。したがって、結束バンド４００がワイヤ２１０をワイヤカバー１００に固定した状態で、バンド部４１０はフード欠損面８０を通過して、フード第２側面２０からフード第１側面１０寄りの位置に納まり、フード第２側面２０からフード第１側面１０とは反対の方向（−Ｘ方向）に突出することがない。このため、フード第２側面２０に沿って、突出した物のない空間が形成される。
【００３０】
（使用状態）
図１４〜図１６は本発明の実施の形態１に係るコネクタのワイヤカバーを説明するものであって、図１４は使用状態を示す平面図、図１５は使用状態を示す側面図、図１６は使用状態を示す斜視図である。なお、説明の便宜上、図１において定義した装着時の方向（Ｘ方向、Ｙ方向、Ｚ方向）を付記する。
図１４〜図１６において、コネクタ３００は自動車のオートマチックトランスミッションケース（以下「Ａ／Ｍ」と称す）５００に取り付けられている。なお、図１４〜図１６では、Ａ／Ｍ５００の一部を矩形板にて模式的に示している。
すなわち、コネクタ３００は、Ａ／Ｍ５００に設けられた設置用孔５３０を貫通し、図示しない固定手段によってＡ／Ｍ５００に固定されている。そして、コネクタ３００にワイヤカバー１００が装着され、結束バンド４００がワイヤ２１０をワイヤカバー１００に固定している。
【００３１】
このとき、前記のように、容易な作業によって、ワイヤ引き出し方向１０１に引き出されたワイヤ２１０は結束バンド４００によってワイヤカバー１００に確実に固定されている。したがって、引き出されたワイヤ２１０と、Ａ／Ｍ５００のコネクタ３００の周囲に配置された機器や部材（以下「周辺他部品９００」と称す）との干渉が防止される。
さらに、バンド部４１０はフード欠損面８０を通過して、フード第２側面２０の外側に突出しないから、フード第２側面２０に沿って突出した物のない空間（図１４において模式的に破線にて囲んで示す。以下「周辺空間９１０」と称す）が形成されている。したがって、周辺空間９１０に周辺他部品９００を配置することが可能になるため、周辺他部品９００を配置する自由度が増す。
【００３２】
［実施の形態２］
さらに、発明を実施するための形態（以下「実施の形態２」と称す）を、図面を参照しつつ説明する。なお、実施の形態１と同じ部位または相当する部位については同じ名称および同じ符号を付し、一部の説明を省略する。
図１７および図１８は本発明の実施の形態２に係るコネクタのワイヤカバーを説明するものであって、図１７は平面図、図１８は変形例を示す斜視図である。
【００３３】
図１７において、コネクタのワイヤカバー（以下「ワイヤカバー」と称す）６００は、実施の形態１に示すワイヤカバー１００におけるフード天面リブ９０を撤去して、代わりに、フード天面欠損部分８３にフード天面切欠溝８４を設けたものである。
すなわち、フード天面３０のコネクタ対向開口面５０とは反対側の面には突出した部材がない。
そして、フード天面欠損部分８３には、フード天面先端縁３６からフード後斜面４０方向（Ｚ方向）に距離Ｆの位置から幅Ｇで、フード天面欠損側縁３９からフード側面欠損部分８２に向かって（−Ｘ方向に向かって）矩形状のフード天面切欠溝８４が形成されている。つまり、フード天面３０は、フード天面先端縁３６に沿って幅Ｆの範囲がフード側面欠損部分８２に向かって延長されている。
【００３４】
したがって、かかる延長部分を「フード天面延長部分８５」と、フード天面延長部分８５のフード天面先端縁３６に垂直な縁を「フード天面延長側縁８６」とそれぞれ称すと、フード天面切欠溝８４はフード天面欠損部分８３からフード天面延長部分８５を除いた範囲である。なお、フード天面延長側縁８６はフード第２稜線３２を含む仮想面内に位置することがある。
また、フード天面切欠溝８４の底を示すフード天面先端縁３６に垂直な縁は、フード天面欠損側縁３９であるから、フード天面切欠溝８４の実質的な深さＨは、フード天面欠損側縁３９とフード天面延長側縁８６との距離に同じであって、結束バンド４００のバンド部４１０が−Ｚ方向に移動不可能に係止するように設定されている。
【００３５】
（作用効果）
したがって、フード天面切欠溝８４は、ワイヤカバー１００（実施の形態１）におけるフード天面リブ９０と同様にバンド部４１０を案内するから、ワイヤカバー６００は、ワイヤカバー１００と同様に前記作用効果（ａ）〜（ｄ）を奏すると共に、フード天面リブ９０に相当する部位を具備しないから、フード天面３０のコネクタ対向開口面５０とは反対の方向には、突出した物のない空間が形成される。
【００３６】
（変形例）
図１８において、フード天面延長部分８５はフード側面欠損部分８２内にまで延長され、フード側面欠損部分８２に、フード天面切欠溝８４に連続したフード第２側面切欠溝８７が形成されている。
このとき、フード天面延長部分８５は、フード第１稜線３１を含む仮想面に位置する範囲と、フード第２側面２０を含む仮想面に位置する範囲とを有している。すなわち、フード第２側面切欠溝８７はフード側面欠損部分８２からフード天面延長部分８５のフード第２側面２０を含む仮想面に位置する範囲を除いた範囲である。
なお、フード天面延長側縁８６はフード第２側面側縁２５（フード第２側面２０のコネクタ対向開口面５０側の側縁に同じ）を含む仮想線上に位置していなくてもよい。
【産業上の利用可能性】
【００３７】
以上のように、本発明に係るコネクタのワイヤカバーは、結束バンドの結束作業が安定になってワイヤを確実に固定することができるから、可撓性を有する各種索体や各種管体の各種装置からの引き出し方向を規制するカバーとして広く利用することができる。
【符号の説明】
【００３８】
１０：フード第１側面
１５：フード第１側面側縁
１６：フード第１側面先端縁
２０：フード第２側面
２５：フード第２側面側縁
２８：フード第２側面欠損端縁
３０：フード天面
３１：フード第１稜線
３２：フード第２稜線
３４：フード後稜線
３６：フード天面先端縁
３８：フード天面欠損端縁
３９：フード天面欠損側縁
４０：フード後斜面
５０：コネクタ対向開口面
６０：ワイヤ引き出し開口面
７０：フード側面切欠溝
８０：フード欠損面
８２：フード側面欠損部分
８３：フード天面欠損部分
８４：フード天面切欠溝
８５：フード天面延長部分
８６：フード天面延長側縁
８７：フード第２側面切欠溝
９０：フード天面リブ
９１：先寄りフード天面リブ
９２：後寄りフード天面リブ
１００：コネクタのワイヤカバー（ワイヤカバー、実施の形態１）
１０１：ワイヤ引き出し方向
１１０：フード
１２０：カバーフランジ
１２１：カバーフランジ端面
１３０：カバー係止部
１３１：カバー係止垂直部分
１３２：カバー係止平行部分
２００：コネクタ端子
２０１：コネクタ端子挿入方向
２１０：ワイヤ
２２０：圧着端子
３００：コネクタ
３０１：ハウジング挿入方向
３１０：メスコネクタハウジング
３１１：位置決め突起
３１２：コネクタ端子収納室
３１３：係止突起
３２０：オスコネクタハウジング
３２１：位置決め溝
３２３：係止孔
３２４：端面
３２５：オスコネクタフランジ
４００：結束バンド
４１０：バンド部
４２０：ヘッド部
４２１：結束孔
５００：オートマチックトランスミッションケース（Ａ／Ｍ）
５３０：設置用孔
６００：コネクタのワイヤカバー（ワイヤカバー、実施の形態２）
９００：周辺他部品
９１０：周辺空間
【図１】
0006324364.tif 000002
【図２】
0006324364.tif 000003
【図３】
0006324364.tif 000004
【図４】
0006324364.tif 000005
【図５】
0006324364.tif 000006
【図６】
0006324364.tif 000007
【図７】
0006324364.tif 000008
【図８】
0006324364.tif 000009
【図９】
0006324364.tif 000010
【図１０】
0006324364.tif 000011
【図１１】
0006324364.tif 000012
【図１２】
0006324364.tif 000013
【図１３】
0006324364.tif 000014
【図１４】
0006324364.tif 000015
【図１５】
0006324364.tif 000016
【図１６】
0006324364.tif 000017
【図１７】
0006324364.tif 000018
【図１８】
0006324364.tif 000019